(57)【要約】【課題】  コンテンツディスプレイ装置及び方法を提供する。【解決手段】  ネットワークに連結されたサーバーを自動で感知し、サーバーから所定のスケジュールによってプッシュされるコンテンツまたはサーバーから伝送される制御命令を受信するデバイスインターフェースモジュール、デバイスインターフェースモジュールから制御命令を伝達されて制御命令に対応する状態制御を行い、状態変化を感知する制御及び監視モジュール、デバイスインターフェースモジュールから伝達されたコンテンツをディスプレイに適した形に変換するコンテンツ処理モジュール、コンテンツ処理モジュールで変換された情報を出力するディスプレイモジュール、及びデバイスインターフェースモジュールが受信した情報を解釈し、解釈された情報による動作を行うデバイスエイジェントモジュールを含むコンテンツディスプレイ装置。【選択図】  図４
2006040281.tif 000002
【特許請求の範囲】
【請求項１】
ネットワークに連結されたサーバーを自動で感知し、前記サーバーから所定のスケジュールによってプッシュされるコンテンツまたは前記サーバーから伝送される制御命令を受信するデバイスインターフェースモジュールと、
前記デバイスインターフェースモジュールから前記制御命令を伝達されて前記制御命令に対応する状態制御を行い、状態変化を感知する制御及び監視モジュールと、
前記デバイスインターフェースモジュールから伝達されたコンテンツをディスプレイに適した形に変換するコンテンツ処理モジュールと、
前記コンテンツ処理モジュールで変換された情報を出力するディスプレイモジュールと、
前記デバイスインターフェースモジュールが受信した情報を解釈し、前記解釈された情報による動作を行うデバイスエイジェントモジュールと、を含むコンテンツディスプレイ装置。
【請求項２】
ユーザから前記ディスプレイ装置の制御命令を入力され、前記サーバーから伝送されようとする前記コンテンツを選択されるユーザインターフェースを提供するデバイスユーザインターフェースモジュールをさらに含む請求項１に記載のコンテンツディスプレイ装置。
【請求項３】
前記制御命令は、前記ディスプレイ装置の電源のオン／オフ、前記ディスプレイ装置の出力状態、または前記コンテンツ出力のナビゲーションのうち少なくとも１つを制御する命令である請求項１に記載のコンテンツディスプレイ装置。
【請求項４】
前記デバイスエイジェントモジュールは、前記サーバーに保存されている前記コンテンツのうち特定コンテンツの伝送を要請する請求項１に記載のコンテンツディスプレイ装置。
【請求項５】
前記コンテンツ処理モジュールは、前記デバイスインターフェースモジュールから伝達された前記コンテンツをデコーディングするか、前記変換されたコンテンツを出力するためのアプリケーションプログラムを駆動させる請求項１に記載のコンテンツディスプレイ装置。
【請求項６】
前記制御及び監視モジュールにより感知される前記状態変化に関する情報は、前記ディスプレイ装置のネットワーク利用情報、前記ディスプレイ装置の動作モードに関する情報、前記ディスプレイ装置が出力しているコンテンツに関する情報、または前記制御命令の実行結果に関する情報のうち少なくとも１つを含む請求項１に記載のコンテンツディスプレイ装置。
【請求項７】
ネットワークで連結されているディスプレイ装置を自動で感知して前記ディスプレイ装置に関する情報を抽出し、コンテンツ及び前記ディスプレイ装置を制御するための制御命令を伝送するサーバーインターフェースモジュールと、
前記コンテンツ及び前記コンテンツが前記ディスプレイ装置にプッシュされる日程に関する情報であるスケジュール情報を保存する保存モジュールと、
前記スケジュール情報を管理し、前記スケジュール情報によって前記コンテンツを前記ディスプレイ装置にプッシュするスケジューリングモジュールと、
ユーザから前記スケジュール情報または前記ディスプレイ装置に対する制御命令を入力されるためのユーザインターフェースを提供するユーザインターフェースモジュールと、
前記サーバーインターフェースモジュールにより提供される情報を解釈し、前記解釈された情報による動作を行って前記ディスプレイ装置から伝送される状態情報を監視するサーバーエイジェントモジュールと、を含むサーバー装置。
【請求項８】
前記ユーザインターフェースモジュールは、前記保存モジュールに保存されている前記コンテンツに関する情報を管理し、前記コンテンツに関する情報を用いて特定コンテンツを検索する請求項７に記載のサーバー装置。
【請求項９】
前記サーバーエイジェントモジュールは、前記ディスプレイ装置から伝送を要請されたコンテンツを伝送する請求項７に記載のサーバー装置。
【請求項１０】
前記制御命令は、前記ディスプレイ装置の電源のオン／オフ、前記ディスプレイ装置の出力状態、または前記コンテンツ出力のナビゲーションのうち少なくとも１つを制御する命令である請求項７に記載のサーバー装置。
【請求項１１】
前記状態情報は、前記ディスプレイ装置のネットワーク利用情報、前記ディスプレイ装置の動作モードに関する情報、前記ディスプレイ装置が出力しているコンテンツに関する情報、または前記ディスプレイ装置が前記制御命令を行った結果に関する情報のうち少なくとも１つを含む請求項７に記載のサーバー装置。
【請求項１２】
ネットワークに連結されたサーバーを自動で感知し、前記サーバーから所定のスケジュールによってプッシュされるコンテンツまたは前記サーバーから伝送される制御命令を受信する段階と、
前記受信されたコンテンツをディスプレイに適した形に変換する段階と、
前記変換されたコンテンツを出力する段階と、
前記受信された制御命令に対応する状態制御を行う段階と、
前記状態制御を行った結果または前記コンテンツの出力状態に関する情報である状態情報を伝送する段階と、を含むコンテンツディスプレイ方法。
【請求項１３】
ユーザからコンテンツがディスプレイ装置にプッシュされる日程に関する情報であるスケジュール情報または前記ディスプレイ装置に対する制御命令を入力される段階と、
前記スケジュール情報を管理する段階と、
前記スケジュール情報によって前記コンテンツを前記ディスプレイ装置にプッシュする段階と、
前記制御命令を前記ディスプレイ装置に伝送する段階と、
前記ディスプレイ装置から伝送された前記制御命令の実行結果または前記コンテンツの出力状態に関する情報である状態情報を監視する段階と、を含むコンテンツディスプレイ方法。
【請求項１４】
請求項１２及び１３のうち少なくとも１つの方法を行うためのプログラムを記録した記録媒体。
【発明の詳細な説明】
【技術分野】
【０００１】
本発明はコンテンツをディスプレイするサービスに係り、特にネットワークで連結されて所定のメッセージ通信を行うサーバー及び多数のディスプレイ装置を提供することによって、さらに効率よくコンテンツを提供し、ディスプレイ装置に対する遠隔制御及び監視を可能ならしめるシステム及び方法を提供することである。
【背景技術】
【０００２】
図１は、コンテンツをディスプレイするサービスを提供する従来のシステムを概略的に示す例示図である。
従来のシステム１００は、ディスプレイ装置１１０、１３０、１５０と、それぞれのディスプレイ装置１１０、１３０、１５０と連結され、コンテンツを提供するサーバー１２０、１４０、１６０を含む。この際、コンテンツは音楽、イメージ、動映像のようなマルチメディアデータだけでなく、多様な文書形式を有するデータを含む。
それぞれのサーバー１２０、１４０、１６０はサーバーに保存されたコンテンツをディスプレイ装置が出力するのに適した形に変換するために、各種ソフトウェアプログラムを内蔵するか、独立したハードウェアを搭載している。したがって、サーバー管理者が選択したコンテンツは、前記ソフトウェアプログラムまたは前記ハードウェアにより出力形式が変換され、変換されたコンテンツが該当するディスプレイ装置によって出力される。
一方、ディスプレイ装置は、ユーザにコンテンツを選択させ、サーバーからその選択されたコンテンツを伝送されてディスプレイ装置で出力するようにする機能をも含みうるので、かかる場合、ディスプレイ装置はクライアントとしての役割を行うようになる。この際、クライアントとサーバー間にコンテンツディスプレイのようなサービスを提供する方法を、図２に示している。
【０００３】
まず、サーバーの動作中にクライアントはサーバーのアドレスとポート情報とを用いてサーバーに接続し（Ｓ２１０）、サーバーに任意のサービスを要請する（Ｓ２２０）。この際、サーバーは要請されたサービスを検索してクライアントに提供する（Ｓ２３０）。
図１のような従来のシステムによれば、それぞれのディスプレイ装置ごとにコンテンツの形式を変換する機能を有する別途のサーバーが必要となり、サーバー管理者がディスプレイ装置に出力しようとするコンテンツを直接選択せねばならない煩わしさがある。そして、図２のようなクライアントサーバーの構造を有する場合には、サーバーがクライアントに該当するディスプレイ装置を制御するか、ディスプレイ装置から発生した物理的な状態変化を監視し難い点がある。ホームネットワーク標準規格の１つであるＵＰｎＰ（Ｕｎｉｖｅｒａｌ  ＰｌｕｇーａｎｄーＰｌａｙ）を用いてサーバーがディスプレイ装置を制御できるが、ＵＰｎＰの場合に遠隔制御及び監視サービスはＨＴＭＬ（Ｈｙｐｅｒ  Ｔｅｘｔ  Ｍａｒｋｕｐ  Ｌａｎｇｕａｇｅ）を用いて具現されるために該当するメッセージ集合を解釈するためのＨＴＭＬブラウザー及びパーザが必要であり、ＵＰｎＰプロトコルを行うためにＨＴＴＰサーバー級の性能を有するハードウェアまたはソフトウェアが必要となる。しかし、ＵＰｎＰを用いて遠隔制御及び監視サービスを提供する場合、提供しようとする遠隔制御命令のためのメッセージ集合はＵＰｎＰで定義された場合にのみ有効となって遠隔制御命令を拡張するのに多くの制約が従い、サーバーがディスプレイ装置の状態変化を監視する方法においても制約が従う。また、簡単な遠隔制御命令を行う場合にも、ＵＰｎＰプロトコルを行うためのＨＴＴＰサーバー及びＨＴＭＬパーザのようなソフトウェアプログラムが必要となる問題点がある。
したがって、このような問題点を克服するためにサーバーがディスプレイ装置にさらに効率よくコンテンツを提供し、ディスプレイ装置の遠隔制御及び状態監視を可能ならしめるコンテンツディスプレイ装置及び方法が必要となった。
【特許文献１】特開2000-231369号公報
【発明の開示】
【発明が解決しようとする課題】
【０００４】
本発明は１つのサーバーを通じてメッセージ通信機能を有する多数のディスプレイ装置に自動的にコンテンツを提供するコンテンツディスプレイ装置及び方法を提供するのにその目的がある。
本発明の他の目的は、１つのサーバーでメッセージ通信機能を有する多数のディスプレイ装置を遠隔制御し、ディスプレイ装置で発生した物理的な状態変化を監視するところにある。
【課題を解決するための手段】
【０００５】
前記目的を達成するために、本発明の実施例によるコンテンツディスプレイ装置は、ネットワークに連結されたサーバーを自動で感知し、サーバーから所定のスケジュールによってプッシュされるコンテンツまたはサーバーから伝送される制御命令を受信するデバイスインターフェースモジュール、デバイスインターフェースモジュールから制御命令を伝達されて制御命令に対応する状態制御を行い、状態変化を感知する制御及び監視モジュール、デバイスインターフェースモジュールから伝達されたコンテンツをディスプレイに適した形に変換するコンテンツ処理モジュール、コンテンツ処理モジュールで変換された情報を出力するディスプレイモジュール、及びデバイスインターフェースモジュールが受信した情報を解釈し、解釈された情報による動作を行うデバイスエイジェントモジュールを含む。
【０００６】
一方、本発明の実施例によるサーバー装置は、ネットワークで連結されているディスプレイ装置を自動で感知して前記ディスプレイ装置に関する情報を抽出し、コンテンツ及び前記ディスプレイ装置を制御するための制御命令を伝送するサーバーインターフェースモジュール、コンテンツ及びコンテンツがディスプレイ装置にプッシュされる日程に関する情報のスケジュール情報を保存する保存モジュール、スケジュール情報を管理してスケジュール情報によってコンテンツをディスプレイ装置にプッシュするスケジューリングモジュール、ユーザからスケジュール情報またはディスプレイ装置に対する制御命令を入力されるためのユーザインターフェースを提供するユーザインターフェースモジュール、サーバーインターフェースモジュールにより提供される情報を解釈し、解釈された情報による動作を行ってディスプレイ装置から伝送される状態情報を監視するサーバーエイジェントモジュールを含む。
【０００７】
前記目的を達成するために本発明の実施例によるコンテンツディスプレイ方法は、ネットワークに連結されたサーバーを自動で感知し、サーバーから所定のスケジュールによってプッシュされるコンテンツまたはサーバーから伝送される制御命令を受信する段階、受信された制御命令に対応する状態制御を行う段階、受信されたコンテンツをディスプレイに適した形に変換する段階、変換されたコンテンツを出力する段階、及び状態制御を行った結果またはコンテンツの出力状態に関する情報の状態情報を伝送する段階を含む。
【０００８】
一方、本発明の実施例によるコンテンツディスプレイ方法は、ユーザからコンテンツがディスプレイ装置にプッシュされる日程に関する情報のスケジュール情報またはディスプレイ装置に対する制御命令を入力される段階、スケジュール情報を管理する段階、スケジュール情報によってコンテンツをディスプレイ装置にプッシュする段階、制御命令をディスプレイ装置に伝送する段階、及びディスプレイ装置から伝送された状態情報を監視する段階を含む。
その他の実施例の具体的な事項は詳細な説明及び図面に含まれている。
【発明の効果】
【０００９】
本発明のコンテンツディスプレイ装置及び方法によれば、次のような効果が１つあるいはそれ以上ある。
本発明は、１つのサーバーを通じてメッセージ通信機能を有する多数のディスプレイ装置に既定のスケジュール情報によって自動的にコンテンツを提供するコンテンツディスプレイ装置及び方法を提供することによって、ユーザの管理無しにコンテンツをディスプレイしうる。
本発明の他の長所は、１つのサーバーでメッセージ通信機能を有する多数のディスプレイ装置を遠隔で制御し、ディスプレイ装置で発生した物理的な状態変化を監視しうる。
【発明を実施するための最良の形態】
【００１０】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００１１】
以下、添付されたブロック図またはフローチャートに基づいて本発明の実施例によるコンテンツディスプレイシステム及び方法を説明する。この時、フローチャートの各ブロックとフローチャートの組合わせはコンピュータプログラムインストラクションにより実行可能なのが理解できるであろう。これらコンピュータプログラムインストラクションは、汎用コンピュータ、特殊用コンピュータまたはその他のプログラマブルデータプロセッシング装備のプロセッサーに搭載されうるので、コンピュータまたはその他のプログラマブルデータプロセッシング装備のプロセッサーを通じて実行されるそのインストラクションがフローチャートのブロックで説明された機能を行う手段を生成するように機構を作れる。これらコンピュータプログラムインストラクションは特定方式で機能を具現するためにコンピュータまたはその他のプログラマブルデータプロセッシング装備を指向できるコンピュータ利用可能またはコンピュータ判読可能メモリに保存されることも可能なので、そのコンピュータ利用可能またはコンピュータ判読可能メモリに保存されたインストラクションはフローチャートのブロックで説明された機能を行うインストラクション手段を内包する製造品目を生産することも可能である。コンピュータプログラムインストラクションはコンピュータまたはその他のプログラム可能なデータプロセッシング装備上に搭載することも可能なので、コンピュータまたはその他のプログラマブルデータプロセッシング装備上で一連の動作段階が実行されてコンピュータで実行されるプロセスを生成し、コンピュータまたはその他のプログラマブルデータプロセッシング装備を行うインストラクションはフローチャートのブロックで説明された機能を実行するための段階を提供することも可能である。
【００１２】
図３は、本発明の実施例によってコンテンツをディスプレイするサービスを提供するシステムを概略的に表す例示図であって、前記システム３００はサーバー３１０、サーバー３１０からコンテンツを受信して出力する多数のディスプレイ装置３３０、３４０、３５０、及びこれらを連結する伝送媒体３２０を含む。望ましくは、前記ディスプレイ装置は、テレビ、モニター、電光板のような大型ディスプレイ装置などを含む。
この際、従来のシステムとは違ってサーバー３１０は保存されたコンテンツを既定のスケジュールにより該当するディスプレイ装置に提供し、コンテンツを受信したディスプレイ装置は、自身が支援する出力形式に合わせてコンテンツを変換させて出力する。したがって、ディスプレイ装置は、コンテンツを構成するいろいろな形式のデータを変換させうるハードウェアまたはソフトウェアを搭載している。
また、サーバー３１０は、ディスプレイ装置３３０、３４０、３５０に対して遠隔制御を行い、ディスプレイ装置３３０、３４０、３５０で発生した色々な状態変化を監視しうる。
一方、サーバー３１０とディスプレイ装置３３０、３４０、３５０間にはメッセージ通信方法を用いて情報を送受信する。メッセージ通信方法については後述する。
【００１３】
図４は、本発明の実施例によってコンテンツをディスプレイするサービスを提供するためのディスプレイ装置とサーバーの構造を示す例示図である。
ディスプレイ装置４１０は、ディスプレイモジュール４１５と、デバイスエイジェントモジュール４２０と、デバイスインターフェースモジュール４２５と、コンテンツ処理モジュール４３０と、制御及び監視モジュール４３５と、を含む。
ディスプレイモジュール４１５は、サーバー４５０から受信されたコンテンツをディスプレイし、ユーザがサーバー４５０に保存されている特定のコンテンツを要請可能にする手段を提供し、ユーザからディスプレイ装置を制御する命令を入力されることもある。ユーザがサーバー４５０に保存されている特定のコンテンツを要請し、ユーザからディスプレイ装置を制御する命令を入力される手段は、デバイスユーザインターフェースモジュールのような独立したモジュールとして提供されうる。
【００１４】
デバイスインターフェースモジュール４２５は、ネットワークを通じて連結されている他のディスプレイ装置とサーバーとを自動で感知し、感知されたディスプレイ装置とサーバーに関する情報を抽出し、ディスプレイ装置またはサーバーとメッセージ通信を行う。
コンテンツ処理モジュール４３０はディスプレイ装置４１０の出力形式に合わせてサーバー４５０から受信したコンテンツを変換し、変換されたコンテンツをディスプレイモジュール４１５に伝達する。
制御及び監視モジュール４３５は、ディスプレイ装置４１０がサーバー４５０から制御命令に対するメッセージを受信した場合、受信されたメッセージに該当する動作を行い、ディスプレイ装置４１０で発生した状態変化を感知する役割を行う。
デバイスエイジェントモジュール４２０は、デバイスインターフェースモジュール４２５から受信されるメッセージを解釈し、それによる動作を行う。また、ディスプレイモジュール４１５、制御及び監視モジュール４３５、コンテンツ処理モジュール４３０間に円滑な動作を行うように調整する役割を行う。
【００１５】
サーバー４５０は、サーバーインターフェースモジュール４５５と、スケジューリングモジュール４６０と、サーバーエイジェントモジュール４６５と、保存モジュール４７０及びユーザインターフェースモジュール４７５を含む。
サーバーインターフェースモジュール４５５は、ネットワークを通じて連結されている多数のディスプレイ装置を自動で感知し、感知されたディスプレイ装置に関する情報を抽出し、多数のディスプレイ装置とメッセージ通信を行う。
保存モジュール４７０は、コンテンツ及びコンテンツがディスプレイ装置に自動的に伝送（プッシュ）される日程に関する情報であるスケジュール情報を保存する。コンテンツは、音楽、写真、動映像のようなサウンド、イメージ、ビデオファイルまたは多様な形式を有する文書ファイルなどを含む。
ユーザインターフェースモジュール４７５は、サーバー管理者が保存モジュール４７０に保存されたコンテンツをキーワードやインデックスを通じて検索しうる手段を提供し、サーバー管理者が如何なるディスプレイ装置に如何なるコンテンツを如何なる時点に伝送するかに関するスケジュールを登録できる手段を提供する。また、サーバー管理者、多数のディスプレイ装置を遠隔制御できるように遠隔制御命令を入力しうる手段を提供し、多数のディスプレイ装置から発生した状態変化に関する情報を示す手段を提供する。
スケジューリングモジュール４６０は、前記スケジュール情報を管理し、前記スケジュール情報によって一定の時点に該当するコンテンツを指定されたディスプレイ装置に伝送する役割を行う。
サーバーエイジェントモジュール４６５は、サーバーインターフェースモジュール４５５から受信されるメッセージを解釈し、それによる動作を行う。また、ユーザインターフェースモジュール４７５、スケジューリングモジュール４６０、保存モジュール４７０間に円滑な動作を行うように調整する役割をする。
【００１６】
一方、前記’モジュール’は、ソフトウェアまたはＦＰＧＡ（Ｆｉｅｌｄ  Ｐｒｏｇｒａｍｍａｂｌｅ  Ｇａｔｅ  Ａｒｒａｙ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ；ＡＳＩＣ）のようなハードウェア構成要素を意味し、モジュールは所定の役割を行う。しかし、モジュールはソフトウェアまたはハードウェアに限定されるものではない。モジュールは、アドレッシング可能な保存媒体に存在すべく構成されても良く、１つまたはそれ以上のプロセッサーを実行させるように構成されても良い。したがって、一例としてモジュールは、ソフトウェア構成要素、客体指向ソフトウェア構成要素、クラス構成要素及びタスク構成要素のような構成要素と、プロセス、関数、属性、プロシージャ、サブルーチン、プログラムコードのセグメント、ドライバー、ファームウェア、マイクロコード、回路、データ、データベース、データ構造、テーブル、アレイ、及び変数を含む。構成要素とモジュールから提供される機能は、より少数の構成要素及びモジュールで結合されるか、追加的な構成要素とモジュールにさらに分離されうる。
【００１７】
以下、それぞれのモジュール間の動作を具体的に説明する。一方、本発明に関する説明を容易にするために、以下ではコンテンツをディスプレイする動作過程と遠隔制御及び監視に対する動作過程を分離して説明する。
１．コンテンツディスプレイサービス
（１）ディスプレイ装置ーサーバー間の相互認知
サーバー４５０とディスプレイ装置４１０は、それぞれのサーバーインターフェースモジュール４５５とデバイスインターフェースモジュール４２５とを通じて１つのネットワークグループに連結される。この際、サーバー４５０は多数のディスプレイ装置と連結されうるが、説明の便宜上１つのディスプレイ装置についてのみ説明し、他のディスプレイ装置の内部ブロック図は、図４で示したディスプレイ装置４１０の内部ブロック図と同じものと見なす。サーバーインターフェースモジュール４５５とデバイスインターフェースモジュール４２５は自身と連結されたサーバーまたはディスプレイ装置に電源が印加されて動作可能な状態であるか否かを感知する。例えば、サーバー４５０の場合、サーバーインターフェースモジュール４５５がディスプレイ装置４１０を感知し、その結果をサーバーエイジェントモジュール４６５に伝達すれば、サーバーエイジェントモジュール４６５は、ユーザインターフェースモジュール４７５を通じてサーバー管理者にディスプレイ装置４１０の状態に関する情報を提供する。したがって、サーバー管理者は、直接回りながらそれぞれのディスプレイ装置を確認せずとも、サーバー４５０が位置する所でそれぞれのディスプレイ装置の状態を確認できる。
【００１８】
（２）スケジューリング
サーバー管理者は、ディスプレイ装置４１０にコンテンツをディスプレイするために、まずユーザインターフェースモジュール４７５を用いて保存モジュール４７０に保存されたコンテンツをキーワードやインデックスを通じて検索する。そして、検索されたコンテンツをディスプレイ装置４１０にディスプレイする時点を決定してユーザインターフェースモジュール４７５を通じて入力する。
検索されたコンテンツに関する情報と、検索されたコンテンツをディスプレイするディスプレイ装置、ディスプレイする時間のようなスケジュール情報はスケジューリングモジュール４５０によって管理される。したがって、該当するディスプレイ時間になれば、スケジューリングモジュール４６０は前記スケジュール情報をサーバーエイジェントモジュール４６５に伝達する。そして、サーバーエイジェントモジュール４６５は、該当するコンテンツを保存モジュール４７０から抽出してサーバーインターフェースモジュール４５５を通じて該当するディスプレイ装置に伝送する。
【００１９】
（３）コンテンツ出力
ディスプレイ装置４１０が、デバイスインターフェースモジュール４２５を通じてサーバー４５０からデータを受信すれば、まずデバイスエイジェントモジュール４２０は受信したデータがコンテンツを出力するためのデータであるか、そうでなければ、ディスプレイ装置４１０を制御するためのデータであるかを判断する。
受信したデータがコンテンツを出力するためのデータである場合、すなわち、サーバー４５０のスケジューリングモジュール４６０により該当するコンテンツが伝えられた場合には、デバイスエイジェントモジュール４２０は受信したデータをコンテンツ処理モジュール４３０に伝達する。
コンテンツ処理モジュール４３０は、デバイスエイジェントモジュール４２０から受信したデータをディスプレイ装置４１０に適した出力形式に変換させ、変換されたコンテンツを出力するためのアプリケーションプログラムを駆動させる。前記アプリケーションプログラムにより再生されるコンテンツはディスプレイモジュール４１５を通じてユーザに提供される。
一方、ディスプレイ装置４１０のユーザは、ディスプレイモジュール４１５を通じてサーバー４５０に所望のコンテンツを要求することもあるが、このような場合、ディスプレイモジュール４１５はユーザからコンテンツ情報を入力されうる手段を備える。この際、ディスプレイ装置４１０は、サーバー４５０からサーバー４５０の保存モジュール４７０に保存されたコンテンツリストをあらかじめ伝達されてユーザのコンテンツ要請がある場合、これをディスプレイモジュール４１５を通じてユーザに提供しうる。さらに他の実施例として、ユーザの要請がある場合に初めてサーバー４５０に対して保存モジュール４７０に保存されたコンテンツリストを要請することもある。
【００２０】
（４）応用例
本発明の実施例として多様な応用分野があるが、以下では代表的な幾つかの例だけを挙げる。
ａ）電子美術館
サーバー４５０は、美術館などで保有している作品を高画質イメージデータに変換して保存モジュール４７０に保存している。美術館や展示空間のある大衆空間に作品の展示のためにディスプレイ装置を設置し、ネットワークを通じてサーバー４５０と連結する。サーバー管理者は、ユーザインターフェースモジュール４７５を通じてそれぞれのディスプレイ装置にイメージデータを展示する順序と内容のようなスケジュール情報を決定し、決定されたスケジュール情報はスケジューリングモジュール４６０に登録される。スケジューリングモジュール４６０は、指定された時間になれば該当する前記スケジュール情報をサーバーエイジェントモジュール４６５に伝達する。サーバーエイジェントモジュール４６５は前記スケジュール情報を用いて該当するイメージデータを保存モジュール４７０から抽出し、抽出されたイメージデータをサーバーインターフェースモジュール４５５を通じて該当するディスプレイ装置４１０に伝送することによって、ユーザが絵を鑑賞できるようにする。
【００２１】
ｂ）空港情報サービス
サーバー４５０は保存モジュール４７０に空港案内及び航空情報、広告、娯楽用ビデオ／音楽コンテンツなどを保存している。ディスプレイ装置は空港内に必要な位置に設置し、ネットワークを通じてサーバー４５０と連結する。
サーバー４５０のスケジューリングモジュール４６０は、それぞれのディスプレイ装置に提供する情報及び娯楽物の順序及び内容を管理する。
サーバー４５０は、指定された時間になれば該当するコンテンツを指定されたディスプレイ装置に伝送し、ディスプレイ装置では受信したコンテンツを適した出力形式に変換して画面に出力する。
【００２２】
ｃ）プレゼンテーション情報サービス
サーバー４５０は、保存モジュール４７０に案内及び発表紹介資料コンテンツなどを保存している。ディスプレイ装置は、大衆空間内の必要な位置に設置され、ネットワークを通じてサーバー４５０と連結される。
サーバー４５０のスケジューリングモジュール４６０はそれぞれのディスプレイ装置に提供する情報及び発表物の順序と内容とを管理する。
サーバー４５０は、指定された時間になれば該当するコンテンツを指定されたディスプレイ装置に伝送し、ディスプレイ装置では受信したコンテンツを適した出力形式に変換して画面に出力する。
【００２３】
２．遠隔制御及び監視
サーバー４５０は、ディスプレイ装置４１０の状態によって遠隔でディスプレイ装置４１０を制御できる。このためにサーバー４５０及びディスプレイ装置４１０は遠隔制御メッセージ集合を有しており、特にディスプレイ装置４１０は制御及び監視モジュール４３５を含む。
例えば、サーバー管理者がディスプレイ装置４１０の電源オン／オフを行うか、ボリュームまたはコントラストなどの出力状態を制御しようとする場合に、サーバー管理者はユーザインターフェースモジュール４７５を通じて制御命令を入力する。この際、ユーザインターフェースモジュール４７５は、ディスプレイ装置の制御のためのユーザインターフェースをユーザに提供する。
また、サーバー４５０は、現在ディスプレイ装置４１０から出力しているコンテンツに対して静止／止め／前へ／後へなどのナビゲーション動作を遠隔で命令することもできる。
一方、ディスプレイ装置４１０の制御及び監視モジュール４３５は周期的にまたはイベントが発生する場合、これを感知し、感知された状態変化に関する情報をデバイスエイジェントモジュール４２０に伝達する。デバイスエイジェントモジュール４２０は、前記情報をデバイスインターフェースモジュール４２５を通じてサーバー４５０に伝送する。したがって、サーバー４５０は遠隔でディスプレイ装置４１０の状態を監視可能になる。
ディスプレイ装置４１０とサーバー４５０間の遠隔制御及び監視に関するより具体的な内容は後述する。
一方、ディスプレイ装置４１０とサーバー４５０間にはメッセージ通信を行うが、以下で具体的なメッセージ通信過程を説明する。但し、説明の便宜上、ディスプレイ装置４１０をクライアントで示し、図４に示しているブロック図を用いて説明する。この際、メッセージ通信を行うためのパケットの生成及び受信されたメッセージを解釈する動作は、サーバー４５０ではサーバーエイジェントモジュール４６５で行い、ディスプレイ装置４１０ではデバイスエイジェントモジュール４２０で実行される。
【００２４】
本発明の実施例によるメッセージ通信プロトコルは、ｉ）クライアントをサーバーのサービス対象者に登録及びサービス開始のためのメッセージ通信（図７参照）、ii）クライアントによるサーバーのプルモードサービスのためのメッセージ通信（図８参照）、iii）サーバーからクライアントへのプッシュモードサービスのためのメッセージ通信（図９参照）、iv）サーバーによるクライアントの遠隔制御のためのメッセージ通信（図１０参照）、ｖ）サーバー、クライアント間のサービス終了のためのメッセージ通信（図１１Ａ及び図１１Ｂ参照）に大きく区分されうる。
この際、プルモードサービスの例として、音楽を提供するサーバーがあり、各クライアントでサーバーに保存された音楽のリストを見て所望の音楽をサーバーからサービスされる場合がある。
また、プッシュモードサービスの例として、列車駅またはバスターミナルの待合室にネットワーク機能を支援するモニターがあちこちに設置されており、サーバーは各モニターに列車、バスの出発時間、到着時間、公知事項及び映画、音楽などをサービスする場合がある。
【００２５】
図５は、本発明の実施例によってコンテンツをディスプレイする概略的な過程をディスプレイ装置の側面で示すフローチャートである。
デバイスインターフェースモジュール４２５がネットワークを通じて連結されている他のディスプレイ装置とサーバーを自動で感知し、感知されたディスプレイ装置とサーバーに関する情報を抽出し、感知されたサーバーからサーバー管理者により既定のスケジュールによって自動的に伝送、すなわちプッシュされるコンテンツを受信するか、サーバーから伝送されるディスプレイ装置の制御命令を受信する（Ｓ５１０）。コンテンツ処理モジュール４３０は、ディスプレイ装置が支援する出力形式に合わせてサーバーから受信したコンテンツを適した形に変換し（Ｓ５２０）、変換されたコンテンツをディスプレイモジュール４１５が出力する（Ｓ５３０）。
一方、デバイスインターフェースモジュール４２５により受信された制御命令は制御及び監視モジュール４３５により該当ディスプレイ装置の状態制御のために実行される（Ｓ５４０）。ディスプレイ装置は、制御命令を行った結果またはコンテンツの出力状態等に関する情報であるディスプレイ装置の状態情報をサーバーに伝送することによって（Ｓ５５０）、サーバーによる遠隔制御及び監視を可能にする。
【００２６】
図６は、本発明の実施例によってコンテンツをディスプレイする概略的な過程をサーバーの側面で示すフローチャートである。
サーバー管理者は、コンテンツがディスプレイ装置にプッシュされる日程であるスケジュール情報またはディスプレイ装置に対する遠隔制御命令をユーザインターフェースモジュール４７５を通じて入力する（Ｓ６１０）。スケジューリングモジュール４６０は、ユーザにより入力されたスケジュール情報を管理し（Ｓ６２０）、サーバーエイジェントモジュール４６５はスケジュール情報による時点になれば、該当コンテンツをディスプレイ装置にプッシュする（Ｓ６３０）。また、サーバーエイジェントモジュール４６５は、ディスプレイ装置を遠隔制御するための制御命令を伝送しうる（Ｓ６４０）。ディスプレイ装置は、一定の周期で、またはイベントが発生する場合、コンテンツの出力状態または制御命令の実行結果などに関する状態情報をサーバーに伝送し、サーバーは該状態情報を監視する（Ｓ６５０）。
【００２７】
図７は、本発明の実施例によってクライアントのサービス登録過程を表す例示図であって、クライアント４１０がサーバー４５０が提供するサービスを用いるためにクライアント４１０に関する情報をサーバーに登録する過程である。
この際、サービス登録のためのパケットは次のような情報を含むペイロードを有する。
−サービス登録パケットペイロード＝｛ＭＡＣアドレス、サービスタイプ、グループ名、クライアント名｝
この際、’ＭＡＣアドレス’とは、デバイスインターフェースモジュール４２５に含まれたネットワークカード毎に指定された固有な識別番号であって、それぞれのクライアントを区別するための識別子としても使われる。また、ＭＡＣアドレスは、サーバーで遠隔制御する場合にクライアントの電源をターンオンさせる時にも用いられる。
’サービスタイプ’は、相異なるサーバーのサービスを区別するための固有な識別子である。
’グループ名’は、クライアントを幾つかのグループに管理するためのグループ名である。
’クライアント名’は、それぞれのクライアントを区別するためにユーザになじんだクライアント別名（ａｌｉａｓ）を示す。
【００２８】
図７に示されたように、クライアント４１０がサーバー４５０に対してサービス登録要請をすれば、サーバー４５０のサーバーエイジェントモジュール４６５はサービスタイプとグループ名を確認する。もし、サーバー４５０が支援するサービスタイプと一致し、サーバー４５０が管理するグループに該当する場合にサーバーエイジェントモジュール４６５は登録を要請したクライアントの情報を保存モジュール４７０に保存する。この際、サーバー４５０では特定のグループに対してのみサービスを提供するか、あらゆるグループに属したクライアントにサービスを提供すべく設定されうる。そして、サーバー４５０では、登録されたクライアントのリストをグループ別に管理するか、グループ別に差別化されたサービスを提供しうる。
【００２９】
図８は、本発明の実施例によってプルモード（Ｐｕｌｌｍｏｄｅ）サービスが実行される過程を表す例示図であって、クライアント４１０でサーバー４５０のコンテンツリストのうち所望のコンテンツを用いる時にプルモードサービスが実行される。
この際、プルモードサービスのためのパケットは次のような情報を含むペイロードを有する。
−プルモードコンテンツリスト要請パケットペイロード＝｛サービスタイプ、グループ名、クライアント名、メディアタイプ、リストソーティング情報、リスト要請情報｝
−プルモードコンテンツリストパケットペイロード＝｛サービスタイプ、サーバー名、メディアタイプ、コンテンツリスト情報、サーバーサービスネットワーク情報｝
−プルモードコンテンツ要請パケットペイロード＝｛サービスタイプ、グループ名、クライアント名、コンテンツ情報｝
−プルモードコンテンツ終了パケットペイロード＝｛サービスタイプ、グループ名、クライアント名、メディアタイプ｝
この際、’メディアタイプ’は該当するコンテンツが映画、音楽、写真または文書ファイルのようないかなる種類のメディアに該当しているかを表す。
’リストソーティング情報’は、名称、日付、ファイルサイズ、ジャンルのようにソーティングのためのパラメータ情報を表すリストのソーティング情報を表す。
’リスト要請情報’は、ページ当りリスト数、ページ位置などを表す。
’コンテンツリスト情報’は、コンテンツ情報に対するリストであって、特定メディアタイプに対するコンテンツのリストを表す。
’サーバーサービスネットワーク情報’は、サーバーでサービスを提供するネットワーク接続情報であって、例えば、ＩＰアドレス、ポート番号などが伝えられ、サービスの種類によってマルチキャストが要求される場合にはマルチキャストのためのＩＰアドレス、ポート番号なども含まれうる。
’コンテンツ情報’は、コンテンツ各々に関する情報であって、該当コンテンツのファイル名、ファイル長、生成日、ジャンル、再生時間、コンテンツのサムネイル（ｔｈｕｍｂｎａｉｌ）などに関する情報を含む。
【００３０】
図８に示されたように、プルモードでは、まずクライアント４１０のデバイスエイジェントモジュール４２０がデバイスインターフェースモジュール４２５を通じてサーバー４５０に特定のメディアに関するコンテンツリストを要請する（Ｓ８１０）。この際、クライアント４１０はサーバー４５０に前記’プルモードコンテンツリスト要請パケット’を伝送する。
サーバー４５０のサーバーエイジェントモジュール４６５は、自身のサービスタイプと一致するか否か、そしてクライアント４１０が許容されたグループのメンバーであるか否かを確認する。次いで、サーバーエイジェントモジュール４６５は保存モジュール４７０から現在自身がサービスしているコンテンツのうち前記特定のメディアに該当するコンテンツを抽出してリストを生成し、生成されたコンテンツリストを前記’プルモードコンテンツリストパケット’を用いてクライアントに伝送する（Ｓ８２０）。
クライアント４１０は、受信したコンテンツリストのうち所望のコンテンツを選択し、選択されたコンテンツを前記’プルモードコンテンツ要請パケット’を用いてサーバー４５０に要請する（Ｓ８３０）。
サーバー４５０は、自身のサービスタイプが許容されたクライアントであるか否かを確認した後、要請されたコンテンツに対するプルモードサービスを始める（Ｓ８４０）。もし、クライアント４１０がプルモードサービスを中止しようとする場合には、前記’プルモードコンテンツ終了パケット’をサーバー４５０に伝送することによって、プルモードサービス動作を中止させうる（Ｓ８５０）。
【００３１】
図９は、本発明の実施例によってプッシュモードサービスが実行される過程を表す例示図であって、スケジューリングモジュール４６０の動作によってサーバー４５０からクライアント４１０にコンテンツを提供する場合にプッシュモードサービスが用いられる。
この際、プッシュモードサービスのためのパケットは次のような情報を含むペイロードを有する。
−プッシュモードコンテンツリストパケットペイロード＝｛サービスタイプ、サーバー名、メディアタイプ、コンテンツリスト情報、サーバーサービスネットワーク情報｝
−プッシュモードコンテンツ要請パケットペイロード＝｛サービスタイプ、グループ名、クライアント名、コンテンツ情報｝
−プッシュモードコンテンツ終了パケットペイロード＝｛サービスタイプ、サーバー名、メディアタイプ｝
図９に示されたように、プッシュモードではまずサーバー４５０が連結されたクライアント４１０に出力しようとするコンテンツリストを伝送する（Ｓ９１０）。この際、前記’プッシュモードコンテンツリストパケット’が用いられる。
クライアント４１０は、受信したコンテンツリストにあるコンテンツを順次に伝送することを、前記’プッシュモードコンテンツ要請パケット’を用いてサーバーに要請する（Ｓ９２０）。
サーバー４５０は、自身のサービスタイプが許容されたクライアントであるか否かを確認した後、要請されたコンテンツに対するプッシュモードサービスを始める（Ｓ９３０）。この際、クライアント４１０が受信したコンテンツリストに含まれたあらゆるコンテンツに対してＳ９２０段階及びＳ９３０段階を反復する。
もし、サーバー４５０がプッシュモードサービスを中止しようとする場合には、前記’プッシュモードコンテンツ終了パケット’をクライアント４１０に伝送することによって、プッシュモードサービス動作を中止させうる（Ｓ９４０）。
【００３２】
図１０は、本発明の実施例によって遠隔制御サービスが実行される過程を表す例示図であって、サーバー４５０でクライアント４１０の画面や音響モードなどを遠隔で制御してクライアントの状態を監視する時に用いられる。
この際、遠隔制御サービスのためのパケットは次のような情報を含むペイロードを有する。
−遠隔制御パケットペイロード＝｛サービスタイプ、サーバー名、遠隔制御命令、遠隔制御命令パラメータ｝
−クライアント状態パケットペイロード＝｛サービスタイプ、サーバー名、クライアント状態情報｝
この際、’遠隔制御命令’は、サーバー４５０で制御する制御命令を示す。例えば、クライアント４１０の電源オン／オフ、Ｗａｋｅ  Ｏｎ  ＬＡＮ、コントラスト調節、チント（ｔｉｎｔ）調節、明るさ調節、ボリューム調節、画面モード調節、音響モード調節などがある。この際、前記’Ｗａｋｅ  Ｏｎ  ＬＡＮ’はネットワークカードのＭＡＣアドレス情報をローカルラン（ｌｏｃａｌ  ｌａｎ）にマルチキャスティングして該当するネットワークカードと連結されたＣＰＵを電源オン（ＯＮ）することをいう。
’遠隔制御命令パラメータ’は、それぞれの遠隔制御命令に該当するパラメータを表す。
’クライアント状態情報’は、クライアントのボリューム、画面モード、音響モード、コントラスト、チント、明るさのようなクライアントの状態情報を表す。
図１０に示されたように、遠隔制御サービスでは、まずサーバー４５０が連結されたクライアント４１０に’遠隔制御パケット’を用いて遠隔制御命令を伝送する（Ｓ１０１０）。
クライアント４１０のデバイスエイジェントモジュール４２０はサーバー４５０から受信したパケットを解釈して遠隔制御命令に関するパケットであることを確認すれば、受信した遠隔制御命令に関する情報を制御及び監視モジュール４３５に伝達する。制御及び監視モジュール４３５は該当する命令を行い、実行された結果によって変化された状態をデバイスエイジェントモジュール４２０に報告する。デバイスエイジェントモジュール４２０は制御及び監視モジュール４３５から報告された状態変化をデバイスインターフェースモジュール４２５を通じてサーバー４５０に伝送する（Ｓ１０２０）。この際、前記’クライアント状態パケット’が伝送される。
【００３３】
図１１Ａ及び図１１Ｂは、本発明の実施例によってサービスが終了される過程を表す例示図であって、サーバー４５０またはクライアント４１０が相手方に対して自身のサービス終了を知らせる場合に用いられる。
この際、サービス終了のためのパケットは次のような情報を含むペイロードを有する。
−クライアントサービス終了パケットペイロード＝｛ＭＡＣアドレス、サービスタイプ、グループ名、クライアント名｝
−サーバーサービス終了パケットペイロード＝｛サービスタイプ、サーバー名｝
図１１Ａでは、クライアント４１０側でサービスを終了しようとする場合を表しているが、この際、クライアント４１０はサーバー４５０に前記’クライアントサービス終了パケット’を伝送する。
図１１Ｂでは、サーバー４５０側でサービスを終了しようとする場合を表しているが、この際、サーバー４５０はクライアント４１０に前記’サーバーサービス終了パケット’を伝送する。特に、この場合にはサーバー４５０と連結されたあらゆるクライアントにサービス終了メッセージが伝送される。
その他にも、サーバー４５０とクライアント４１０が相互連結されているか否かを周期的に確認するメッセージが送受信されうるが、このようなメッセージを用いて相手の非正常的な終了如何が分かる。この際、連結確認のためのパケットは次のような情報を含むペイロードを有する。
−連結確認パケットペイロード＝｛ＭＡＣアドレス、サービスタイプ、グループ名、クライアント名｝
一方、本発明の実施例によってコンテンツをディスプレイするシステムは、１つのサーバーから多数のディスプレイ装置にコンテンツを伝送して出力する以外にも、サーバーがディスプレイ装置を制御するか、ディスプレイ装置で発生した状態変化をサーバーが監視できる機能を提供する。すなわち、ディスプレイ装置は、単にコンテンツ出力機能だけを提供するものではなく、前述したようにサーバーとメッセージ通信を行いつつさらに多様な機能を行える。
【００３４】
図１２は、本発明の実施例によって遠隔制御及び監視のためのブロック図を示す例示図である。
遠隔制御及び監視機能を行うために、サーバー４５０ではユーザインターフェース１２１０、遠隔制御モジュール１２２２と遠隔監視モジュール１２２４を含むサーバー側遠隔制御及び監視モジュール１２２０、メッセージパーザ１２３０、そしてネットワークインターフェース１２４０が動作を行う。
この際、ユーザインターフェース１２１０は、図４に示されているユーザインターフェースモジュール４７５により提供されるが、サーバー管理者がディスプレイ装置４１０を制御するか、またはディスプレイ装置４１０で発生した状態情報をサーバー管理者が分かるようにインターフェースを提供する。
メッセージパーザ１２３０は、ディスプレイ装置４１０を制御するためのメッセージを生成するか、ディスプレイ装置４１０から受信した状態情報に関するメッセージを解釈する。メッセージパーザ１２３０の機能は、図４に示されたサーバーエイジェントモジュール４６５により実行されうる。
遠隔制御モジュール１２２２は、ユーザインターフェース１２１０から受信した制御情報をメッセージパーザ１２３０に伝達し、遠隔監視モジュール１２２４は、メッセージパーザ１２３０により解釈されたディスプレイ装置４１０の状態情報をユーザインターフェース１２１０に伝達する。
遠隔制御モジュール１２２２及び遠隔監視モジュール１２２４は、サーバーエイジェントモジュール４６５またはユーザインターフェースモジュール４７５に含まれうる。
サーバー側のネットワークインターフェース１２４０は、図４に示されたサーバーインターフェースモジュール４５５により実行されうる。
【００３５】
一方、ディスプレイ装置４１０では、マイコンインターフェースモジュール１２５２、状態情報処理モジュール１２５４、遠隔制御モジュール１２５６を含むクライアント側の制御及び監視モジュール１２５０と、メッセージパーザ１２６０、そしてネットワークインターフェース１２７０が動作を行う。
クライアント側のネットワークインターフェース１２７０は、図４に示されたデバイスインターフェースモジュール４２５により実行されうる。
メッセージパーザ１２６０は、ディスプレイ装置４１０の状態情報または発生したイベント情報を含むメッセージを生成するか、サーバー４５０から受信した制御情報に関するメッセージを解釈する。メッセージパーザ１２６０の機能は、図４に示されたデバイスエイジェントモジュール４２０により実行されうる。
遠隔制御モジュール１２５６は、メッセージパーザ１２６０により解釈された制御情報をマイコンインターフェースモジュール１２５２に伝達し、状態情報処理モジュール１２５４は、ディスプレイ装置４１０で発生したイベントまたはディスプレイ装置４１０の制御による状態変化を感知してメッセージパーザ１２６０に伝達する。
マイコンインターフェースモジュール１２５２は、ディスプレイ装置４１０のハードウェアー的な要素を制御するためのモジュールであって、遠隔制御モジュール１２５６から制御情報を受信して該当する要素を制御する。
遠隔制御モジュール１２５６、状態情報処理モジュール１２５４及びマイコンインターフェースモジュール１２５２は、図４に示された制御及び監視モジュール４３５に含まれうる。
【００３６】
ディスプレイ装置４１０に対する遠隔制御及び監視機能が動作する過程を、ｉ）サーバー管理者によるディスプレイ装置４１０の遠隔制御、ii）ディスプレイ装置４１０の状態変化に対する監視に分けて説明する。
１．サーバー管理者によるディスプレイ装置４１０の遠隔制御
例えば、サーバー管理者が特定のディスプレイ装置４１０に対して電源をオフさせようとする時、サーバー管理者はユーザインターフェースモジュール４７５が提供するユーザインターフェース１２１０を通じてそれぞれのディスプレイ装置に対する電源状態を確認する。
次いで、サーバー管理者がオフさせようとするディスプレイ装置４１０を選択すれば、遠隔制御モジュール１２２２がこれを受信してメッセージパーザ１２３０に伝達する。メッセージパーザ１２３０は遠隔制御のためのメッセージを生成してサーバー側ネットワークインターフェース１２４０を通じてディスプレイ装置４１０に伝送する。
ディスプレイ装置４１０は、ネットワークインターフェース１２７０を通じて前記メッセージを受信し、メッセージパーザ１２６０が受信されたメッセージを解釈し、解釈された情報を遠隔制御モジュール１２５６に伝達する。電源をオン／オフする動作はハードウェア的な要素に対する制御に該当するので、遠隔制御モジュール１２５６はマイコンインターフェースモジュール１２５２を駆動させてディスプレイ装置４１０の電源をオフさせる。
前記のような方法でそれぞれのディスプレイ装置に対するボリューム、コントラスト、明るさ、モニタ入力などの値を調節しうる。
【００３７】
２．ディスプレイ装置４１０の状態変化に対する監視
ディスプレイ装置４１０での状態変化には、ディスプレイ装置４１０の制御による状態変化とディスプレイ装置４１０自体より発生した状態変化とがある。前者の場合には前述した電源オン／オフのように電源状態の変化が生じた場合に状態情報処理モジュール１２５４がこれを感知し、メッセージパーザ１２６０に伝達し、メッセージパーザ１２６０は、状態情報を表すメッセージを生成してネットワークインターフェース１２７０を通じてサーバー４５０に伝送する。
サーバー４５０は、ネットワークインターフェース１２４０を通じて前記メッセージを受信し、メッセージパーザ１２３０が受信されたメッセージを解釈し、解釈された情報を遠隔監視モジュール１２２０に伝達する。遠隔監視モジュール１２２０は状態変化に関する情報をユーザインターフェース１２１０を通じてサーバー管理者に提供する。
一方、ディスプレイ装置４１０自体より発生した状態変化と関連して、サーバー４５０は、ネットワークと連結されたあらゆるディスプレイ装置から一定の周期毎に状態情報を受信しうる。このような状態情報としては、連結されたディスプレイ装置のリスト、それぞれのディスプレイ装置とのネットワーク連結状態、それぞれのディスプレイ装置のサービス現況などがある。また、コンテンツを再生しているディスプレイ装置の画面と同一な画面をサーバー４５０の画面にディスプレイしうる。また、サーバー４５０はディスプレイ装置で主要イベントが発生する場合、自動で対処する制御動作を行わせることもできる。
以上、本発明について詳細に記述したが、本発明が属する技術分野で当業者ならば、特許請求の範囲に定義された本発明の精神及び範囲を外れずに本発明に対して多様な変形、追加または代替が可能であることを理解できるであろう。
【産業上の利用可能性】
【００３８】
本発明はコンテンツをディスプレイするサービス技術分野に好適に適用されうる。
【図面の簡単な説明】
【００３９】
【図１】コンテンツをディスプレイするサービスを提供する従来のシステムを概略的に示す例示図である。
【図２】従来の技術によってクライアントとサーバー間にサービスを提供する方法を表す例示図である。
【図３】本発明の実施例によってコンテンツをディスプレイするサービスを提供するシステムを概略的に表す例示図である。
【図４】本発明の実施例によってコンテンツをディスプレイするサービスを提供するためのディスプレイ装置及びサーバーの構造を表す例示図である。
【図５】本発明の実施例によってコンテンツをディスプレイする概略的な過程をディスプレイ装置の側面で示す図面である。
【図６】本発明の実施例によってコンテンツをディスプレイする概略的な過程をサーバーの側面で示す図面である。
【図７】本発明の実施例によってクライアントのサービス登録過程を表す例示図である。
【図８】本発明の実施例によってプルモードサービスが実行される過程を表す例示図である。
【図９】本発明の実施例によってプッシュモードサービスが実行される過程を表す例示図である。
【図１０】本発明の実施例によって遠隔制御サービスが実行される過程を表す例示図である。
【図１１Ａ】本発明の実施例によってサービスが終了される過程を表す例示図である。
【図１１Ｂ】本発明の実施例によってサービスが終了される過程を表す例示図である。
【図１２】本発明の実施例によって遠隔制御及び監視のためのブロック図を表す例示図である。
【符号の説明】
【００４０】
４１０      ディスプレイ装置(クライアント)
４１５      ディスプレイモジュール
４２０      デバイスエイジェントモジュール
４２５      デバイスインターフェースモジュール
４３０      コンテンツ処理モジュール
４３５      制御及び監視モジュール
４５０      サーバー
４５５      サーバーインターフェースモジュール
４６０      スケジューリングモジュール
４６５      サーバーエイジェントモジュール
４７０      保存モジュール
４７５      ユーザインターフェースモジュール
【図１】
2006040281.tif 000003
【図２】
2006040281.tif 000004
【図３】
2006040281.tif 000005
【図４】
2006040281.tif 000006
【図５】
2006040281.tif 000007
【図６】
2006040281.tif 000008
【図７】
2006040281.tif 000009
【図８】
2006040281.tif 000010
【図９】
2006040281.tif 000011
【図１０】
2006040281.tif 000012
【図１１Ａ】
2006040281.tif 000013
【図１１Ｂ】
2006040281.tif 000014
【図１２】
2006040281.tif 000015